(57)【要約】【課題】軟らかくふんわりと握られた米飯加工食品であっても、割れることなく開封することができる米飯加工食品用包装体および米飯加工食品用包装袋を提供する。【解決手段】本米飯加工食品用包装体Ａは、長さ方向に切断可能な表フィルム１０と、この表フィルム１０とともに分離可能な裏フィルム２０とが海苔２を介在させて重ね合わされ、かつ、前記表裏両フィルム１０，２０の外周縁部１２がシールされ、裏フィルム２０の中心に帯状フィルム３０が重ね合わされている。この帯状フィルム３０は二つ折りとされており、重なり合っている両端部３１，３１が表裏両フィルム１０，２０の一方の外周縁部１２にシールＳされ、帯状フィルム３０の折返し端部３２が表裏両フィルム１０，２０の他方の外周縁部１２近傍の裏フィルム２０に弱シールＰされ、帯状フィルム３０のおにぎり１と接合する側の一端部の近傍に切断可能部３４が形成されている。【選択図】  図１
2007126196.tif 000002
【特許請求の範囲】
【請求項１】
長さ方向に切断可能な表フィルムと、該表フィルムとともに分離可能な裏フィルムとがシート状食品を介して重ね合わされ、かつ、前記表裏両フィルムの外周縁部がシールされ、米飯加工食品を挟むように折り曲げられる米飯加工食品用包装体であって、
米飯加工食品の底面と接合するように二つ折りとされて前記裏フィルム上に重ね合わされる帯状フィルムを有し、該帯状フィルムの重なり合っている両端部が、シールされている表裏両フィルムの一方の外周縁部にシールされ、帯状フィルムの折返し端部が、シールされている表裏両フィルムの他方の外周縁部近傍の裏フィルムに弱シールされ、米飯加工食品と接合する側の帯状フィルムの一端部の近傍に切断可能部が形成されていることを特徴とする米飯加工食品用包装体。
【請求項２】
前記帯状フィルムの切断可能部は、切込みによって形成されていることを特徴とする請求項１に記載の米飯加工食品用包装体。
【請求項３】
前記帯状フィルムは、米飯加工食品の幅とほぼ同じ幅に形成されていることを特徴とする請求項１または２に記載の米飯加工食品用包装体。
【請求項４】
前記帯状フィルムは、折返し端部に折込み部が形成されていることを特徴とする請求項１から３のいずれか一つに記載の米飯加工食品用包装体。
【請求項５】
前記帯状フィルムの折返し端部を弱シールする部分の裏フィルムには、幅方向に褶曲した帯状の襞部が形成されていることを特徴とする請求項１から４のいずれか一つに記載の米飯加工食品用包装体。
【請求項６】
前記裏フィルムは、内端部同士が重なり合う２枚からなり、該内端部同士が全長にわたってイージーピールでシールされていることを特徴とする請求項１から５のいずれか一つに記載の米飯加工食品用包装体。
【請求項７】
前記裏フィルムの内端部同士は、少なくとも前記帯状フィルムと重なり合う部分が波形状にイージーピールでシールされていることを特徴とする請求項６に記載の米飯加工食品用包装体。
【請求項８】
請求項１から７のいずれか一つに記載された米飯加工食品用包装体が米飯加工食品を挟むように二つ折りとされ、米飯加工食品用包装体の三方の外周縁部が重なり合ってシールされていることを特徴とする米飯加工食品用包装袋。
【発明の詳細な説明】
【技術分野】
【０００１】
本発明は、例えばシート状の海苔のようなシート状食品と、おにぎりのような米飯加工食品とを分離した状態で包装するための米飯加工食品用包装体、および、この米飯加工食品用包装体によって米飯加工食品を包装した米飯加工食品用包装袋に関し、特に、軟らかくふんわりと握られた米飯加工食品を好適に包装することができる米飯加工食品用包装体および米飯加工食品用包装袋に関する。
【背景技術】
【０００２】
コンビニエンスストアなどで販売されている海苔付きのおにぎりは、搬送中や陳列中などにおいて、おにぎりの水分によってシート状の海苔が湿気ることがないようにするため、おにぎりと海苔とを別々に包装する米飯加工食品用包装体（以下、主として「包装体」という。）に包装されている。従来からの包装体は、おにぎりが硬めに握られていたことから、おにぎりの形状に沿って折り畳むようにして、おにぎりを包装している。
【０００３】
しかし、近時、需要が伸びている軟らかくふんわりと握られたおにぎりは、包装体を二つ折りにし、三方の端部同士をシールした米飯加工食品用包装袋（以下、主として「包装袋」という。）によって包装されている。この包装袋は、開口された一端からおにぎりが投入された後、この開口がシールされることにより、おにぎりを包装している。しかし、この包装袋は、おにぎりが粘りを有していても、スムーズに投入することができるように、余裕をもった大きさとされていることから、おにぎりが包装袋内で移動して壊れることもある。
【０００４】
そこで、おにぎりが包装袋内で殆ど動き得る余裕のない状態に収容することができるようにした包装飯塊が特許文献１に開示されている。この包装飯塊は、全長に亘って分断可能なシート体におにぎりを載せてから、このシート体を二つ折りにし、シート体の三方の端部同士を重ね、この重なり部を超音波溶着や熱溶着などによってシールし、おにぎりを緊密に被せた包装袋を形成していることを特徴としている。
【０００５】
【特許文献１】特開２００４−２４８６３７号公報
【発明の開示】
【発明が解決しようとする課題】
【０００６】
特許文献１に開示された包装飯塊のシート体は、シート状の海苔のようなシート状食品を挟む表フィルムと裏フィルムとからなり、表フィルムには分断可能部が設けられ、裏フィルムは内端同士が重ねられる２枚のフィルムによって構成されている。そして、この包装飯塊を開封するには、分断可能部によって表フィルムを２分し、シート体の端部を摘んで外向きに引っ張る。すると、シート体が取り除かれ、シート状の海苔がおにぎりを包む状態となって、このおにぎりを食することができる。
【０００７】
したがって、この包装飯塊は、裏フィルムがおにぎりと接合していることから、シート体を取り除くときに、裏フィルムがおにぎりを外向きに引っ張ることとなる。しかし、おにぎりは、軟らかくふんわりと握られていることから、外向きの力が加えられることにより、特に底部から割れてしまい、食しにくくなる。
【０００８】
そこで、本発明は、軟らかくふんわりと握られた米飯加工食品であっても、割れることなく開封することができるようにした米飯加工食品用包装体および米飯加工食品用包装袋を提供することを課題とする。
【課題を解決するための手段】
【０００９】
本発明に係る米飯加工食品用包装体は、長さ方向に切断可能な表フィルムと、該表フィルムとともに分離可能な裏フィルムとがシート状食品を介して重ね合わされ、かつ、前記表裏両フィルムの外周縁部がシールされ、米飯加工食品を挟むように折り曲げられる米飯加工食品用包装体であって、米飯加工食品の底面と接合するように二つ折りとされて前記裏フィルム上に重ね合わされる帯状フィルムを有し、該帯状フィルムの重なり合っている両端部が、シールされている表裏両フィルムの一方の外周縁部にシールされ、帯状フィルムの折返し端部が、シールされている表裏両フィルムの他方の外周縁部近傍の裏フィルムに弱シールされ、米飯加工食品と接合する側の帯状フィルムの一端部の近傍に切断可能部が形成されていることを特徴としている。
【００１０】
この米飯加工食品用包装体は、シート状食品を介在させて重ね合わされる表裏両フィルムの外周縁部がシールされ、米飯加工食品を挟むように、米飯加工食品の底部で折り返される。この折返し部の裏フィルム上に帯状フィルムが重ね合わされる。この帯状フィルムは表裏両フィルムの幅のほぼ２倍の長さで、二つ折りとされている。この帯状フィルムが重なり合っている両端部は、シールされている表裏両フィルムの一方の外周縁部にシールされる。また、帯状フィルムの折返し端部は、シールされている表裏両フィルムの他方の外周縁部の近傍の裏フィルムに弱シールされる。このようにして二つ折りにされた帯状フィルムは、裏フィルムの折返し部にシールおよび弱シールされることにより、包装された米飯加工食品の底面と確実に接合する。
【００１１】
このような米飯加工食品用包装体は、例えば二つ折りとされ、重なり合う三方の外周縁部がシールされることによって米飯加工食品を包装する米飯加工食品用包装袋となる。この米飯加工食品用包装袋を開封するため、表フィルムを長さ方向に切断し、続いて、帯状フィルムの折返し端部を弱シールした側の表裏両フィルムを引っ張る。すると、この弱シールが剥離し、分離した状態の一方の表裏両フィルムが米飯加工食品から取り除かれる。このとき、米飯加工食品は帯状フィルムと接合しているため裏フィルムに引きずられない。
【００１２】
続いて、帯状フィルムの両端部をシールした側の表裏両フィルムを引っ張る。すると、帯状フィルムは切断可能部で切断され、分離した状態の他方の表裏両フィルムが米飯加工食品から取り除かれる。このとき、米飯加工食品は帯状フィルムと接合していることにより、裏フィルムに引きずられない。
【００１３】
ただし、分離した状態の他方の表裏両フィルムが引っ張られることにより、帯状フィルムの折返し端部の端縁は、米飯加工食品上を移動する。しかし、帯状フィルムは、米飯加工食品を面状に接合して引きずるのではなく、折返し端部の端縁が移動するだけであるため、米飯加工食品を割るような力を作用させるものとならない。したがって、この米飯加工食品用包装体は、米飯加工食品が割れないようにして開封することができる。
【００１４】
また、前記本発明に係る米飯加工食品用包装体において、前記帯状フィルムの切断可能部は、切込みによって形成されていることが好ましい。
【００１５】
この米飯加工食品用包装体によれば、帯状フィルムの切断可能部が切込みによって形成されることにより、切断可能部は、引っ張られない限り連続した状態を維持し、引っ張られると、容易に切断するようにすることができる。なお、切込みは、帯状フィルムの両側縁から一端部側に斜め方向に向かうハ字形とすることにより、弱い力でも切断できるようにすることができる。
【００１６】
また、前記本発明に係る米飯加工食品用包装体において、前記帯状フィルムは、米飯加工食品の幅とほぼ同じ幅に形成されていることが好ましい。
【００１７】
この米飯加工食品用包装体によれば、帯状フィルムが米飯加工食品の幅とほぼ同じ幅とされることにより、帯状フィルムは、米飯加工食品用包装体が米飯加工食品を包装したときに、米飯加工食品の底面にのみ接合する。そして、米飯加工食品を包装した米飯加工食品用包装袋を開封するため、表裏両フィルムの折返し部が引っ張られても、帯状フィルムが米飯加工食品の底面と接合していることにより、米飯加工食品の底面は裏フィルムに引きずられず、米飯加工食品が割れないようにすることができる。
【００１８】
また、前記本発明に係る米飯加工食品用包装体において、前記帯状フィルムは、折返し端部に折込み部が形成されていることが好ましい。
【００１９】
この米飯加工食品用包装体によれば、帯状フィルムの折返し端部に折込み部が形成されていることにより、米飯加工食品を包装した米飯加工食品用包装体を開封するため、帯状フィルムの両端部をシールした側の表裏両フィルムが引っ張られると、折込み部が引き出されている間、帯状フィルムの折返し端部の端縁は米飯加工食品の底面上を移動しないため、米飯加工食品が一層割れないようにすることができる。
【００２０】
また、前記本発明に係る米飯加工食品用包装体において、前記帯状フィルムの折返し端部を弱シールする部分の裏フィルムには、幅方向に褶曲した帯状の襞部が形成されていることが好ましい。
【００２１】
この米飯加工食品用包装体によれば、帯状フィルムの折返し端部を弱シールする部分の裏フィルムに幅方向に褶曲した帯状の襞部が形成されていることにより、開封のため、帯状フィルムを弱シールした側の各表裏両フィルムが引っ張られたときに、襞部が勢いよく伸展するため、裏フィルムと帯状フィルムとの弱シールを一層容易に剥離することができる。
【００２２】
また、本発明に係る米飯加工食品用包装体において、前記裏フィルムは、内端部同士が重なり合う２枚からなり、該内端部同士が全長にわたってイージーピールでシールされていることが好ましい。
【００２３】
この米飯加工食品用包装体によれば、裏フィルムの重なり合っている内端部同士がイージーピールでシールされていることにより、裏フィルムの重なり合っている内端部には隙間が生じず、米飯加工食品の湿気が表裏両フィルム間に浸入しないようにすることができるため、表裏両フィルム間に介在しているシート状食品を確実に湿気らせないようにすることができる。そして、２枚の裏フィルムの内端部同士は、イージーピールでシールされていることにより、開封に際して、容易に剥離する。
【００２４】
また、前記本発明に係る米飯加工食品用包装体において、前記裏フィルムの内端部同士は、少なくとも前記帯状フィルムと重なり合う部分が波形状にイージーピールでシールされていることが好ましい。
【００２５】
この米飯加工食品用包装体によれば、２枚の裏フィルムの内端部同士が帯状フィルムと重なり合う部分で波形状にイージーピールでシールされることにより、開封に際して、２枚の裏フィルムが反対方向に引っ張られたときに、シールの波形状の頂部に集中荷重が作用することとなるため、直線状のシールよりも小さな力でシールを剥がすことができるようになる。
【００２６】
また、本発明に係る米飯加工食品用包装袋は、前記いずれか一つに記載された米飯加工食品用包装体が米飯加工食品を挟むように二つ折りとされ、米飯加工食品用包装体の三方の外周縁部が重なり合ってシールされていることを特徴としている。
【００２７】
この米飯加工食品用包装袋は、前記いずれかの米飯加工食品用包装体が米飯加工食品を挟むように二つ折りとされ、三方の外周縁部が重なり合ってシールされることにより、軟らかくふんわりと握られた米飯加工食品であっても型崩れすることなく包装ないし搬送することができる。
【００２８】
そして、開封するため、表フィルムを長さ方向に切断し、帯状フィルムの折返し端部が弱シールされている側の一方の表裏両フィルムを引っ張る。すると、帯状フィルムが米飯加工食品と接合した状態を維持しつつ、分離した一方の表裏両フィルムが取り除かれる。続いて、帯状フィルムの両端部がシールされている側の他方の表裏両フィルムを引っ張る。すると、帯状フィルムは、米飯加工食品と接合する側の一端部付近に形成された切断可能部の部分で切断され、帯状フィルムの折り返し端部の端縁がこの他方の表裏両フィルムに引っ張られて移動する。したがって、米飯加工食品には、帯状フィルムによって引きずり出すような力が加えられず、この米飯加工食品用包装袋は米飯加工食品が割れないようにして開封することができる。
【発明の効果】
【００２９】
本発明によれば、米飯加工食品用包装体が米飯加工食品と接合する帯状フィルムを備えていることにより、米飯加工食品を包装した米飯加工食品用包装袋を開封するに際して、表裏両フィルムが反対方向に引っ張られても、米飯加工食品は引きずられることがなく、割れないようにすることができる。したがって、本発明に係る米飯加工食品用包装袋は、軟らかくふんわりと握られた米飯加工食品を包装ないし搬送し、割れないように開封することができるため、米飯加工食品の軟らかくふんわりと握られた食感を満喫することができる。
【発明を実施するための最良の形態】
【００３０】
本発明に係る米飯加工食品用包装体（以下、「包装体」という。）の第１の実施形態について図１ないし図３を参照しながら説明する。
【００３１】
この包装体Ａは、米飯加工食品１を収納できる大きさの長方形状の表フィルム１０と、シート状食品２を介して表フィルム１０に重ね合わされる裏フィルム２０と、この裏フィルム２０上に重ね合わされる帯状フィルム３０とを備えている。なお、米飯加工食品１には、三角形状や樽形状などに握られた各種おにぎりの他、鮨なども含まれるが、ここでは「おにぎり」という。また、シート状食品２には、シート状の海苔の他、畳鰯なども含まれるが、ここでは「海苔」という。
【００３２】
そして、表フィルム１０は、長さ方向に切断可能とされており、そのため、カットテープ１１や糸などが裏面に貼着され、あるいは、ハーフカットが形成されるが、ここではカットテープ１１を使用する場合について説明する。カットテープ１１は、図示したように、表フィルム１０の両短辺の中心を結ぶ２本、または図示しないが１本によって構成される。２本のカットテープ１１は、平行に貼着される他、複数の箇所で交差する正弦波状に貼着され、あるいは、両端部で狭く中間部で広くなるように貼着される。そして、カットテープ１１の両端部を貼着した表フィルム１０の両端には、カットテープ１１を摘みやすいようにするための切込み（図示せず）が入れられている。
【００３３】
一方、裏フィルム２０は、おにぎり１に接合し、おにぎり１の水分によって海苔２を湿気らせないようにするためのもので、例えば、切断された表フィルム１０とともに分離可能な２枚で構成される。各裏フィルム２０，２０は、図示したように長辺側の内端部２１，２１が重ね合わされ、幅方向に引き離すことができるようにされている。
【００３４】
この裏フィルム２０，２０の内端部２１，２１は、いわゆる合掌貼りのように重ね合わされ、さらに反対方向に引っ張られると容易に剥離できるようなイージーピールで全長にわたってシールＥされ、重ね合わされた裏フィルム２０，２０の内端部２１，２１同士間に隙間が生じないようにすることにより、おにぎり１の水分が裏フィルム２０と表フィルム１０との間に一切入らないようにされている。
【００３５】
また、このイージーピール性のシールＥの少なくとも中心部分は、容易に剥離することができるように波形状とされている。すなわち、２枚の裏フィルム２０が反対方向に引っ張られたときに、直線状にシールされていると、分布荷重が加えられる状態になる一方、波形状にシールされていると、波形状の頂部に集中荷重が加えられる状態となる。波形状のシールは、直線状のシールよりも剥離しやすい、換言すれば、小さな力で剥離することができる。なお、裏フィルム２０は、図示しないが１枚によって構成され、中心線にハーフカットなどを入れて分離しやすくしたものとしてもよい。
【００３６】
いずれにしても、各裏フィルム２０には、幅方向に褶曲した帯状の襞部２２が形成されている。この襞部２２は、裏フィルム２０の中心に向けて食い込むように形成される。したがって、裏フィルム２０，２０は、図３に示すように１本の軸５０に２本のロール５１，５１が装着され、各ロール５１，５１から繰り出されるシート５２，５２の中間に表面から三角盤や円盤（ともに図示せず）を押し当てることにより、帯状の襞部２２が形成される。このような裏フィルム２０は内端部２１，２１同士が重ね合わされ、所定の長さごとに切断される。
【００３７】
なお、各図において、裏フィルム２０，２０の内端部２１，２１および襞部２２，２２は、わかりやすくするため、跳ね上がった状態に描かれ、また、表フィルム１０、海苔２そして裏フィルム２０，２０は離隔して描かれているが、これらは実際は重なり合っている。
【００３８】
そして、この裏フィルム２０と前記表フィルム１０が海苔２を挟んで重ね合わされ、外周縁部１２がヒートシールなどによって帯状にシールＨされることにより（網点で図示する。）、図１および図２に示すように、海苔２が密封される。なお、表裏両フィルム１０，２０の外周縁部１２であっても、カットテープ１１の両端部の部分および切込みの部分はシールＨされず、カットテープ１１の両端部を摘むことができるようにされている。
【００３９】
このような裏フィルム２０の中心部分であって幅方向に、おにぎり１とほぼ同じ幅の帯状フィルム３０が重ね合わされる。帯状フィルム３０は、表裏両フィルム１０，２０の幅のほぼ２倍の長さで、両端部３１，３１が重なり合うように二つ折りとされている。重なり合っている帯状フィルム３０の両端部３１，３１は、表裏両フィルム１０，２０の一方（以下、「左側」という。）の外周縁部１２にシールＳされている。
【００４０】
帯状フィルム３０の折返し端部３２は、表裏両フィルム１０，２０の他方（以下、「右側」という。）の外周縁部１２の近傍、すなわち右側の外周縁部１２に重ならない位置に弱シールＰされている。弱シールＰは、ポイントシールや易剥離性のシールであり、帯状フィルム３０の折返し端部３２と裏フィルム２０の右側の外周縁部１２近傍とを容易に剥離することができるように貼着する。
【００４１】
また、帯状フィルム３０のおにぎり１と接合する側の一端部の近傍には、切断可能部３４が形成されている。この切断可能部３４は、引っ張られたときに切断するもので、例えば図示したように両縁から一端部の方へ間隔が狭くなるハ字形に形成された切込み、あるいはミシン目やハーフカットなどによって形成される。
【００４２】
このような帯状フィルム３０が裏フィルム２０にシールＳおよび弱シールＰされ、かつ、海苔２を挟んで重ね合わされた表裏両フィルム１０，２０の外周縁部１２が帯状にシールＨされることによって包装体Ａが形成されている。この包装体Ａは、図４に示すように、おにぎり１を挟むように二つ折りとされ、三方の外周縁部１２が重なり合ってヒートシールなどによってシールＨされることによって米飯加工食品用包装袋（以下、「包装袋」という。）Ｂが形成される。
【００４３】
この包装袋Ｂは、おにぎり１が一定の厚さを有していることから、包装体Ａが上向きコ字形に折り返される。この包装体Ａは、中心で折り返されるため、帯状フィルム３０は、裏フィルム２０の折返し部２３に固定される。
【００４４】
この帯状フィルム３０は、両端部３１，３１が表裏両フィルム１０，２０の左側の外周縁部１２にシールＳされ、帯状フィルム３０の折返し端部３２が右側の裏フィルム２０に弱シールＰされているため、おにぎり１を包装するに際して、裏フィルム２０の折返し部２３から位置ずれしない。したがって、軟らかくふんわりと握られたおにぎり１は、底面が帯状フィルム３０上に接合するようにして包装袋Ｂに包装ないし搬送される。
【００４５】
また、包装袋Ｂは、図２（ａ）に示すように、おにぎり１と海苔２とが裏フィルム２０によって仕切られ、しかも、裏フィルム２０，２０の内端部２１，２１がイージーピールでシールＥされていることから、おにぎり１の湿気が海苔２を湿気らせることがない。
【００４６】
そして、この包装袋Ｂを開封には、まずカットテープ１１によって表フィルム１０を引き裂き、二分割する。次に、図２（ｂ）に示すように、右側の表裏両フィルム１０，２０を引っ張る。
【００４７】
すると、裏フィルム２０，２０の内端部２１，２１同士のシールＥが剥離するとともに、裏フィルム２０と帯状フィルム３０との弱シールＰも剥離し、右側の表裏両フィルム１０，２０は帯状フィルム３０と海苔２とを残して引き出される。弱シールＰは、帯状の襞部２２が伸展することによって、容易に剥離する。この右側の表裏両フィルム１０，２０の引出し、および襞部２２の伸展に際して、おにぎり１の底面は、帯状フィルム３０と接合していることから、裏フィルム２０に引きずられず、割れることがない。
【００４８】
続いて、左側の表裏両フィルム１０，２０を引っ張る。すると、帯状フィルム３０がおにぎり１と接合していることから、図２（ｃ）に示すように、帯状フィルム３０は切断可能部３４で切断され、表裏両フィルム１０，２０が引き出される。このとき、帯状フィルム３０の折返し端部３２の端縁３３が左側へ移動する。帯状フィルム３０は、おにぎり１の底面を保持した状態に引きずらず、折返し端部３２の端縁３３がおにぎり１の底面上を移動するだけである。したがって、おにぎり１は、表裏両フィルム１０，２０が引き出されても、割れないで海苔２に挟まれる。
【００４９】
この海苔２は、おにぎり１との間に裏フィルム２０が介在していたことから、湿気っていない。したがって、海苔２のパリパリ感を味わい、しかも、割れることなく軟らかく握られたおにぎり１を食することができる。
【００５０】
なお、前記のように、襞部２２は、伸展することによって弱シールＰが剥離しやすいようにするためのものであるため、右側の裏フィルム２０にのみ形成されればよく、左側の裏フィルム２０には形成する必要がない。しかし、２枚の裏フィルム２０，２０は、図３に示すように、２本のロール５１，５１から繰り出されるシート５２，５２を切断することによって形成され、このロール５１，５１が１本の軸５０に装着されている。
【００５１】
したがって、一方のロール５１から繰り出されるシート５２にのみ襞部２２を形成すると、各ロール５１，５１のバランスが崩れ、２枚の裏フィルム２０，２０に品質不良が生じるおそれがある。また、片方の裏フィルム２０にのみ襞部２２が形成されると、帯状フィルム３０の向きを考慮しなければならず、製造が面倒となる。そこで、２枚の裏フィルム２０，２０に襞部２２，２２が形成される。ただし、ロール５１，５１が個別の軸５０に装着されるなど、裏フィルム２０に品質不良が生じず、また、帯状フィルム２０の向きを容易に制御することができるときは、右側の裏フィルム２０にのみ襞部２２を形成してもよい。
【００５２】
次に、本発明に係る包装体Ａの第２の実施形態について図５および図６を参照しながら説明する。
【００５３】
第２の実施形態の包装体Ａは、第１の実施形態と同じく、おにぎり１を収納できる大きさの長方形状の表フィルム１０と、海苔２を介して表フィルム１０に重ね合わされる裏フィルム２０と、この裏フィルム２０上に重ね合わされる帯状フィルム３０とを備えているが、第２の実施形態の包装体Ａは、帯状フィルム３０の折返し端部３２に折込み部３５が形成されていることを特徴としている。
【００５４】
この折込み部３５は、図５および図６（ａ）に示すように、帯状フィルム３０の両端部３１，３１の方に食い込み、また、裏フィルム２０と接合している側に、おにぎり１と接合する側よりも突出する突出部３６が設けられ、この突出部３６が右側の裏フィルム２０の外周縁部１２近傍に弱シールＰされる。
【００５５】
第２の実施形態の包装体Ａの他の構成は、第１の実施形態と同じであり、軟らかくふんわりと握られたおにぎり１を挟むように折り返され、三方の外周縁部１２が重なり合ってシールされることによって包装袋Ｂが形成される。したがって、このおにぎり１も、底面が帯状フィルム３０と接合し、海苔２は、裏フィルム２０によって湿気らないように包装袋Ｂに包装される。
【００５６】
この第２の実施形態の包装袋Ｂも、カットテープ１１が引かれることによって、表フィルム１０が二分割され、表フィルム１０と裏フィルム２０とを反対方向に引っ張ることによって開封される。すなわち、右側の表裏両フィルム１０，２０が引っ張られることにより、図６（ｂ）に示すように、帯状フィルム３０の折返し端部３２に設けられた突出部３６と裏フィルム２０との弱シールＰが剥離し、右側の表裏両フィルム１０，２０が引き出される。このとき、帯状フィルム３０とおにぎり１の底面とが接合しているため、おにぎり１は裏フィルム２０に引きずられず、割れることがない。
【００５７】
続いて、左側の表裏両フィルム１０，２０を引っ張る。すると、帯状フィルム３０の一端部の近傍に設けられた切断可能部３４が切断され、帯状フィルム３０の折込み部３５が引き出される。このとき、帯状フィルム３０の折返し端部３２の端縁３３は、図６（ｃ）に示すように、おにぎり１の底面上を移動しないか、わずかのみ移動する。したがって、おにぎり１は、開封に際して、帯状フィルム３０に擦られることがないため、どんなに軟らかく握られていても割れることがない。
【００５８】
次に、本発明に係る包装体Ａの第３の実施形態について図７および図８を参照しながら説明する。第３の実施形態の包装体Ａも、第１および第２の実施形態と同じく、おにぎり１を収納できる大きさの長方形状の表フィルム１０と、海苔２を介して表フィルム１０に重ね合わされる裏フィルム２０と、この裏フィルム２０上に重ね合わされる帯状フィルム３０とを備えているが、２枚の裏フィルムの２０，２０の内端部２１，２１の表面と裏面とがイージーピールでシールされることなく接合するように重ね合わされていることを特徴としている。
【００５９】
このように２枚の裏フィルム２０，２０の内端部２１，２１がシールされることなく重ね合わされていることにより、内端部２１，２１がイージーピールでシールされている場合よりも小さな力で開封することができる。したがって、裏フィルム２０には、図７および図８（ａ）に示すように、帯状の襞部２２が形成されていない。そして、帯状フィルム３０の折返し端部３２が右側の裏フィルム２０の外周縁部１２近傍に弱シールＰされている。
【００６０】
このような包装体Ａもおにぎり１を挟むように二つ折りにされ、外周縁部１２がヒートシールなどによってシールＨされることにより、軟らかくふんわりと握られたおにぎり１を包装した包装袋Ｂが形成される。このおにぎり１の底面は、帯状フィルム３０と接合している。
【００６１】
この包装袋Ｂを開封するには、まず、カットテープ１１を引っ張り、表フィルム１０を二分割する。そして、右側の表裏両フィルム１０，２０を引っ張る。すると、図８（ｂ）に示すように、弱シールＰが剥離し、右側の表裏両フィルム１０，２０が引き出される。このとき、裏フィルム２０，２０の内端部２１，２１同士がイージーピールでシールＥされていないことから、シールＥされているときよりも弱い力で右側の表裏両フィルム１０，２０を引き出すことができる。
【００６２】
続いて、図８（ｃ）に示すように、左側の表裏両フィルム１０，２０を引っ張る。すると、帯状フィルム３０の切断可能部３４が切断され、折返し端部３２の端縁３３がおにぎり１の底面上を移動する。帯状フィルム３０はおにぎり１を引きずらないため、おにぎり１が割れることなく、開封される。
【００６３】
次に、本発明に係る包装体Ａの第４の実施形態について図９および図１０を参照しながら説明する。第４の実施形態の包装体Ａも、第３の実施形態と同じく、おにぎり１を収納できる大きさの長方形状の表フィルム１０と、海苔２を介して表フィルム１０に重ね合わされる裏フィルム２０と、この裏フィルム２０上に重ね合わされる帯状フィルム３０とを備え、裏フィルム２０の内端部２１，２１の表面と裏面とがイージーピールでシールＥされることなく接合するように重ね合わされているが、帯状フィルム３０の折返し端部３２に折込み部３５が形成されていることを特徴としている。
【００６４】
この帯状フィルム３０も、裏フィルム２０と接合している側におにぎり１と接合する側よりも突出する突出部３６が設けられ、この突出部３６が右側の裏フィルム２０の外周縁部１２近傍に弱シールＥされる。
【００６５】
このような包装体Ａもおにぎり１を挟むように二つ折りにされ、外周縁部１２がヒートシールなどによってシールＨされることにより、軟らかくふんわりと握られたおにぎり１を包装した包装袋Ｂが形成される。おにぎり１の底面は帯状フィルム３０と接合している。
【００６６】
この包装袋Ｂを開封するには、まず、カットテープ１１を引っ張り、表フィルム１０を二分割し、右側の表裏両フィルム１０，２０を引っ張る。裏フィルム２０，２０の内端部２１，２１同士がイージーピールでシールされていないことから、表裏両フィルム１０，２０は、図１０（ｂ）に示すように、弱い力でもって引き出される。
【００６７】
続いて、左側の表裏両フィルム１０，２０を引っ張る。すると、帯状フィルム３０の切断可能部３４が切断され、左側の表裏両フィルム１０，２０が引き出される。このとき、帯状フィルム３０の折返し端部３２は、折込み部３５が形成されていることから、図１０（ｃ）に示すように、端縁３３がおにぎり１の底面上を移動しないか、わずかのみ移動する。したがって、おにぎり１には引っ張られるような力がまったく加えられず、おにぎり１が割れることなく、開封することができる。
【００６８】
なお、本発明は、前記の実施形態に限定することなく、特許請求の範囲に記載した発明特定事項の範囲内において種々変更することができる。例えば、帯状フィルム３０は、おにぎり１の幅よりも広くしてもよい。また、第１および第２の実施形態で説明した襞部２２は、帯状フィルム３０の折返し端部３２と裏フィルム２０との弱シールを加減することにより、省略することができる。さらに、第１および第２の実施形態における２枚の裏フィルム２０，２０の内端部は、イージーピールでシールＥすることなく、重ね合わせるだけとしてもよい。
【００６９】
逆に、第３および第４の実施形態で説明した２枚の裏フィルム２０，２０の重なり合っている内端部２１，２１は、イージーピールでシールＥしてもよい。さらに、包装体Ａは、硬く握られたおにぎり１を包装することもでき、特に、この場合は、二つ折りではなく、おにぎりの形状に沿って折り畳んでもよい。
【図面の簡単な説明】
【００７０】
【図１】本発明に係る米飯加工食品用包装体の第１の実施形態を示す上方から見た分解斜視図である。
【図２】本発明に係る米飯加工食品用包装体の第１の実施形態であって、（ａ）は開封前の正面断面図、（ｂ）は開封途中の正面断面図、（ｃ）は開封後の正面断面図である。
【図３】本発明に係る米飯加工食品用包装体を構成している裏フィルムに帯状の襞部を形成する工程を示す概略斜視図である。
【図４】本発明に係る米飯加工食品用包装袋の一実施形態を示す概略斜視図である。
【図５】本発明に係る米飯加工食品用包装体の第２の実施形態を示す上方から見た分解斜視図である。
【図６】本発明に係る米飯加工食品用包装体の第２の実施形態であって、（ａ）は開封前の正面断面図、（ｂ）は開封途中の正面断面図、（ｃ）は開封後の正面断面図である。
【図７】本発明に係る米飯加工食品用包装体の第３の実施形態を示す上方から見た分解斜視図である。
【図８】本発明に係る米飯加工食品用包装体の第３の実施形態であって、（ａ）は開封前の正面断面図、（ｂ）は開封途中の正面断面図、（ｃ）は開封後の正面断面図である。
【図９】本発明に係る米飯加工食品用包装体の第４の実施形態を示す上方から見た分解斜視図である。
【図１０】本発明に係る米飯加工食品用包装体の第４の実施形態であって、（ａ）は開封前の正面断面図、（ｂ）は開封途中の正面断面図、（ｃ）は開封後の正面断面ある。
【符号の説明】
【００７１】
１……米飯加工食品（おにぎり）
２……シート状食品（海苔）
１０…表フィルム
１２…外周縁部
２０…裏フィルム
２１…内端部
２２…襞部
３０…帯状フィルム
３１…端部
３２…折返し端部
３４…切断可能部
３５…折込み部
Ａ……米飯加工食品用包装体（包装体）
Ｂ……米飯加工食品用包装袋（包装袋）
Ｅ……（イージーピールでの）シール
Ｈ……（ヒートシールでの）シール
Ｐ……弱シール
Ｓ……シール
【図１】
2007126196.tif 000003
【図２】
2007126196.tif 000004
【図３】
2007126196.tif 000005
【図４】
2007126196.tif 000006
【図５】
2007126196.tif 000007
【図６】
2007126196.tif 000008
【図７】
2007126196.tif 000009
【図８】
2007126196.tif 000010
【図９】
2007126196.tif 000011
【図１０】
2007126196.tif 000012